(57)【特許請求の範囲】
【請求項１】
床部材を、当該床部材の下面を支持する支持フレームに固定するための構造であって、
床部材の下面と支持フレームとの間に、床部材を支持フレームに連結するための連結手段が設けられ、
当該連結手段は、床部材の下面に設けられる上部連結体と、支持フレーム側の前記上部連結体に対応する位置に設けられる下部連結体とを接合部で接合して成り、
上記接合部は、床部材側の上部連結体または支持フレーム側の下部連結体のいずれか一方に設けた係合凸部と、当該係合凸部を無理嵌め状態に嵌合させる他方に設けた係合凹部とから成り、
床部材側の上部連結体または支持フレーム側の下部連結体のいずれか一方に、床部材と支持フレームとを接近させる方向への移動は許容されるが、床部材と支持フレームとを離隔させる方向への移動は阻止されるように構成された調節部が設けられ、
前記調節部を床部材と支持フレームとを接近させる方向へ移動させるのに要する押圧力の大きさが、上部連結体と下部連結体とを接合部で無理嵌め状態に接合させるのに要する押圧力よりも大きく設定されていることを特徴とする
床部材の固定構造。
【請求項２】
前記連結手段の前記接合部において、床部材側の上部連結体と支持フレーム側の下部連結体とが、床部材と支持フレームとを離隔させる方向の所定値以上の引張力により分離可能であることを特徴とする請求項１に記載の床部材の固定構造。
【請求項３】
前記支持フレーム側の下部連結体は、支持フレームに取着したブラケットに対し、水平方向に調整移動が可能なように装着されていることを特徴とする請求項１又は２に記載の床部材の固定構造。
【請求項４】
前記係合凹部における前記係合凸部を無理嵌め状態に収納する収納口の周囲に、前記係合凸部を係合凹部内へ案内するためのテーパ面を形成したことを特徴とする請求項１〜３のいずれかに記載の床部材の固定構造。
【請求項５】
前記調節部は、側周面に突条が形成された調整軸部と、当該調整軸部を貫挿させる挿通孔を有する係止部材とから成り、係止部材における挿通孔の開口縁部に、前記調整軸部の突条と係合する係止舌片が設けられ、当該係止舌片は、床部材と支持フレームとを接近させる方向の押圧力に対しては弾性的に揺動して前記調整軸部の移動を許容し、床部材と支持フレームとを離隔させる方向の引張力に対しては変形せずに前記調整軸部の移動を阻止するよう構成されていることを特徴とする請求項１〜４のいずれかに記載の床部材の固定構造。
【請求項６】
前記床部材に、前記連結手段とは別に脚部を設け、当該脚部を支持フレームに載置することにより、前記床部材の荷重を支持するように構成したことを特徴とする請求項１〜５のいずれかに記載の床部材の固定構造。
【発明の詳細な説明】
【技術分野】
【０００１】
本発明は、例えば浴室ユニットにおける洗い場などの床を構築するための技術に関し、詳しくは、床部材を支持フレームに固定する構造に関する。
【背景技術】
【０００２】
浴室ユニットにおける洗い場の床を構築する手段として、従来、防水パン等の床部材を設置領域に配置した支持フレーム上に載置する構造が広く知られている。その際、床部材の支持フレームに対する位置決めを行うための技術として、例えば、特許文献１に、フレーム上面に球状の取付部材を突設し、この取付部材を防水パンの裏面に設けたリブ間に嵌め込むことにより、防水パンの位置決め及び仮置きを行うこと、又は、フレーム上面にスリット状の差込部を有するリブ差込片を設け、このリブ差込片の差込部に防水パン裏面に設けたリブを差し込むことにより、防水パンの位置決め及び仮置きを行うことが記載されている。
【先行技術文献】
【特許文献】
【０００３】
【特許文献１】特開２００６−１７７０９３号公報（［００１９］及び図４、図８参照）
【発明の概要】
【発明が解決しようとする課題】
【０００４】
前記従来の床構造は、床部材（防水パン）又は支持フレームに歪みが有ったとき、部分的に床部材が支持フレームから浮き上がった状態で施工される可能性がある。このような状態で施工された床は、表面に不陸が生じるので、使用者に違和感や不快感を与えたり、水捌けを悪くしたり、床部材と支持フレームとの間の止水性能を損なったりするという問題を招くおそれがある。
【０００５】
本発明は、前記問題を解決すべく、床部材又は支持フレームに歪みが有ったとしても、床部材を支持フレームから浮き上がらせることなく、床の施工を可能にする手段の提供を目的とする。
【課題を解決するための手段】
【０００６】
前記目的を達成するために創案した本発明の特徴は、請求項１に記載する如く、床部材を、当該床部材の下面を支持する支持フレームに固定するための構造であって、床部材の下面と支持フレームとの間に、床部材を支持フレームに連結するための連結手段を設け、当該連結手段を、床部材の下面に設けられる上部連結体と、支持フレーム側の前記上部連結体に対応する位置に設けられる下部連結体とを接合部で接合して構成する。上記接合部は、床部材側の上部連結体または支持フレーム側の下部連結体のいずれか一方に設けた係合凸部と、当該係合凸部を無理嵌め状態に嵌合させる他方に設けた係合凹部とから成るものとする。さらに、床部材側の上部連結体または支持フレーム側の下部連結体のいずれか一方に、床部材と支持フレームとを接近させる方向への移動は許容するが、床部材と支持フレームとを離隔させる方向への移動は阻止するように構成した調節部を設ける。そして、この調節部における床部材と支持フレームとを接近させる方向へ移動させるのに要する押圧力の大きさを、上部連結体と下部連結体とを接合部で無理嵌め状態に接合させるのに要する押圧力よりも大きく設定する、というものである。
【０００７】
本発明に係る前記固定構造は、請求項２に記載する如く、前記連結手段の前記接合部において、床部材側の上部連結体と支持フレーム側の下部連結体とを、床部材と支持フレームとを離隔させる方向の所定値以上の引張力により分離可能に構成することができる。
【０００８】
また、請求項３に記載する如く、前記支持フレーム側の下部連結体を、支持フレームに取着したブラケットに対し、水平方向に調整移動が可能なように装着する構成を採用してもよい。
【０００９】
さらに、請求項４に記載する如く、前記固定構造において、前記係合凹部における前記係合凸部を無理嵌め状態に収納する収納口の周囲に、前記係合凸部を係合凹部内へ案内するためのテーパ面を形成する構成を採用してもよい。
【００１０】
前記調節部については、請求項５に記載する如く、側周面に突条が形成された調整軸部と、当該調整軸部を貫挿させる挿通孔を有する係止部材とから成り、係止部材における挿通孔の開口縁部に、前記調整軸部の突条と係合する係止舌片が設けられ、当該係止舌片は、床部材と支持フレームとを接近させる方向の押圧力に対しては弾性的に揺動して前記調整軸部の移動を許容し、床部材と支持フレームとを離隔させる方向の引張力に対しては変形しないで前記調整軸部の移動を阻止するように構成することが考えられる。
【００１１】
さらに本発明に係る床部材の固定構造において、請求項６に記載する如く、前記床部材に、前記連結手段とは別に脚部を設け、当該脚部を支持フレームに載置することにより、前記床部材の荷重を支持するように構成することが望ましい。
【発明の効果】
【００１２】
請求項１記載の本発明に係る床部材の固定構造によれば、床部材と支持フレームとを連結する連結手段の接合部において、係合凸部を係合凹部へ無理嵌め状態に嵌合させて接合することにより、床部材側の上部連結体と支持フレーム側の下部連結体とを連結できるので、床部材を支持フレームの所定位置へ確実に設置することができる。その際、床部材と支持フレームとを接近させる方向へ調節部を移動させるのに要する押圧力の大きさが、上部連結体と下部連結体とを無理嵌め状態に接合するのに要する押圧力よりも大きく設定されているので、調節部が移動することはない。
床部材または支持フレームに歪みを有するために、床部材が支持フレームから浮き上がっている部位を生じている場合は、その近傍で、床部材の表面を踏みつける或いは叩打する等の手段により、下方（支持フレーム）へ向かって比較的大きい押圧力を及ぼす。これにより、調節部が床部材と支持フレームとを接近させる方向へ移動するため、床部材が沈み込んで、浮き上がりを解消する。また調節部は、床部材と支持フレームとを離隔させる方向への移動が阻止されているので、床部材を沈み込ませた状態が保持される。
このように本発明に係る床部材の固定構造は、床部材の位置決めが簡単であると共に、床部材の浮き上がりを確実に防止できる効果を発揮する。
【００１３】
請求項２記載の本発明によれば、床部材側の上部連結体と支持フレーム側の下部連結体とを、離隔方向に所定値以上の引張力を与えることにより、前記接合部において分離可能としたので、必要に応じ、床部材を支持フレームから取り外すことができる。従って、床部材や支持フレーム等のメンテナンス、清掃、交換などを行うことが可能である。
【００１４】
請求項３記載の本発明によれば、支持フレームにブラケットを取着し、このブラケットに対し、前記支持フレーム側の下部連結体を水平方向に調整移動可能としたので、床部材側の上部連結体と支持フレーム側の下部連結体とを、係合凸部と係合凹部との嵌合により連結する際、上部連結体に対し下部連結体が若干位置ずれを生じていたとしても、下部連結体をブラケット内で水平移動させることにより、適正な嵌合位置へ調整することができる。従って、上部連結体と下部連結体との接合を確実に実行できる。
【００１５】
請求項４記載の本発明によれば、前記係合凹部における収納口の周囲に、前記係合凸部を案内するためのテーパ面を形成したので、係合凸部をテーパ面に当接させれば、自然に係合凹部内へ案内される。従って、上部連結体と下部連結体との接合を容易且つ確実に行える。また、係合凹部の収納口周囲にテーパ面を形成する構成は、下部連結体を支持フレームのブラケットに調整移動可能に装着する構成と組み合わせたときに、格別の効果を発揮する。すなわち、係合凸部を係合凹部側のテーパ面に当接させることで、下部連結体が適正な嵌合位置へ自然に移動するから、上部連結体と下部連結体との接合が確実である。
【００１６】
請求項５に記載の本発明は、床部材と支持フレームとの接近方向への移動は許容し、両者を離隔させる方向への移動は阻止する調節部として、側周面に突条を形成した調整軸部と、挿通孔の開口縁部に係止舌片を設けた係止部材とから成り、係止舌片を、床部材と支持フレームとの接近方向には弾性的に揺動して前記調整軸部の移動を許容し、反対方向の引張力に対しては前記調整軸部の移動を阻止するよう構成したものとするので、例えば、軸用プッシュナット等の市販品を利用できる。
【００１７】
請求項６に記載の本発明によれば、床部材に、連結手段とは別に脚部を設け、当該脚部を支持フレーム上に載置することにより床部材の荷重を支持するように構成したので、連結手段には、床部材の荷重が加わらない。従って、連結手段の耐荷重強度をそれほど高める必要がないから、構造の自由度が大きく、製作が容易である。また、接合部に大きな荷重が作用しないので、上部連結体と下部連結体との分離が容易であり、長期にわたり使用しても変形が生じにくい。
【図面の簡単な説明】
【００１８】
【図１】本発明に係る床部材の固定構造を、浴室ユニットの洗い場床の施工に適用した実施形態に関するものであって、構築された洗い場を、一部切り欠いて示す平面図である。
【図２】本発明に係る床部材の固定構造を、浴室ユニットの洗い場床の施工に適用した実施形態に関するものであって、支持フレーム、載置部材、シール部材及び床部材を分離して示す斜視図である。
【図３】図１のＣ−Ｃ線における中間省略した断面図である。
【図４】図１のＤ−Ｄ線における中間省略した断面図である。
【図５】本発明の実施に利用する洗い場床用の支持フレームの一例を示すものであって、図（Ａ）は平面図、図（Ｂ）は正面図である。
【図６】図（Ａ）は、図５に示す支持フレームのＥ−Ｅ線における中間省略した拡大断面図、図（Ｂ）は図５に示す支持フレームのＦ−Ｆ線における中間省略した拡大断面図である。
【図７】支持フレームに設けられる下部連結体を構成する受け具の一例を示すものであって、図（Ａ）は正面図、図（Ｂ）は正面断面図、図（Ｃ）は平面図である。
【図８】図７の受け具を調整移動可能に装着するためのブラケットの一例を示すものであって、図（Ａ）は正面図、図（Ｂ）は正面断面図、図（Ｃ）は平面図である。
【図９】ブラケットの他の例を示すものであって、図（Ａ）は正面断面図、図（Ｂ）は平面図である。
【図１０】本発明の実施に利用する洗い場床用の載置部材の一例を示すものであって、図（Ａ）は、中間省略した拡大側面断面図（図５のＥ−Ｅ線断面に相当）、図（Ｂ）は中間省略した拡大正面断面図（図５のＦ−Ｆ線断面に相当）である。
【図１１】本発明の実施に利用する洗い場床用の床部材の一例を示すものであって、図（Ａ）は、中間省略した拡大側面断面図（図５のＥ−Ｅ線断面に相当）、図（Ｂ）は中間省略した拡大正面断面図（図５のＦ−Ｆ線断面に相当）である。
【図１２】床部材に設けられる上部連結体の一例を示すものであって、構成部材を分解した正面断面図である。
【図１３】床部材に設けられる上部連結体の一例を示す正面断面図である。
【図１４】上部連結体の調節部を構成する係止部材（プッシュナット）の一例を示すものであって、図（Ａ）は正面図、図（Ｂ）は平面図である。
【図１５】本発明を利用した浴室ユニットの洗い場床の施工手順を説明するためのものであって、支持フレーム、載置部材、シール部材を分離して示す側面断面図である（図１のＣ−Ｃ線断面に相当）。
【図１６】本発明を利用した浴室ユニットの洗い場床の施工手順を説明するためのものであって、支持フレーム、載置部材、シール部材を分離して示す正面断面図である。（図１のＤ−Ｄ線断面に相当）
【図１７】本発明を利用した浴室ユニットの洗い場床の施工手順を説明するためのものであって、載置部材及びシール部材を組み付けた支持フレームと、床部材とを分離して示す側面断面図である。（図１のＣ−Ｃ線断面に相当）
【図１８】本発明を利用した浴室ユニットの洗い場床の施工手順を説明するためのものであって、載置部材及びシール部材を組み付けた支持フレームと、床部材とを分離して示す正面断面図である。（図１のＤ−Ｄ線断面に相当）
【図１９】連結手段を構成する支持フレーム側に設けた上部連結体と、床部材側に設けた下部連結体とを拡大して示す正面断面図である。
【図２０】支持フレーム側に設けた上部連結体と、床部材側に設けた下部連結体とを接合する途中状態を拡大して示す正面断面図である。
【図２１】支持フレーム側に設けた上部連結体と、床部材側に設けた下部連結体とを接合した状態を拡大して示す正面断面図である。
【図２２】支持フレーム側に設けた上部連結体と、床部材側に設けた下部連結体とを接合した状態を拡大して示す正面断面図である。（但し、浮き上がり部分有り）
【図２３】本発明の第２の実施形態を示すものであって、床部材側の上部連結体に係合凹部を形成し、支持フレーム側の下部連結体に係合凸部を形成した連結手段の例を示す分離した拡大正面断面図である。
【図２４】図２３に示す床部材側の上部連結体と、支持フレーム側の下部連結体とを接合した状態を示す拡大正面断面図である。
【図２５】本発明の第３の実施形態を示すものであって、床部材側の上部連結体に接合部と調整軸部とを設け、支持フレーム側の下部連結体に係止部材を設けた連結手段の例を示す分離した拡大正面断面図である。
【図２６】図２５に示す床部材側の上部連結体の調整軸部を、支持フレーム側の下部連結体の係止部材に係合させた状態を示す拡大正面断面図である。
【図２７】図２６に示す床部材側の上部連結体を、接合部で分離した状態を示す拡大正面断面図である。
【発明を実施するための形態】
【００１９】
［第１の実施形態］
本発明に係る床部材の固定構造を、浴室ユニットの洗い場床を施工する場合を例にとって説明する。図１乃至図４は、本発明を利用して施工される洗い場床１の一例を示すものであり、床設置域Ａに設置される支持フレーム２、支持フレーム２上に設置される載置部材３、載置部材３上に建て込まれる壁パネル４、支持フレーム２に支持される床部材５、載置部材３と床部材５との間に配置されるシール部材６から構成される。
なお、洗い場の壁面及び出入口の構築方法については詳細を省略するが、載置部材３上にコーナーポスト１０及び平面ポスト１１を立設し、このポスト１０，１１に、壁パネル４や出入り口扉ユニット８を連結する従来工法を採用することができる
【００２０】
支持フレーム２は、図５及び図６に示す如く、床設置域Ａの大きさに合わせて、４本の枠部材２ａを連結して長方形状に構築した外枠部２Ｘと、その内周部に設けた、後述する載置部材３及び床部材５の支持を行う設置部２Ｙとを主要部とする。外枠部２Ｘを構成する枠部材２ａには、例えば亜鉛メッキ角パイプや、亜鉛メッキ鋼板もしくはステンレス鋼板等の金属製板材を折り曲げ加工して製作した金属製角材等が用いられる。
本例の設置部２Ｙは、断面Ｌ字形の部材を、外枠部２Ｘの内側面に沿って、ビスＳや，溶接・係止構造等により固定したものとしたが、枠部材２ａと一体成形することも可能である。
【００２１】
図２及び図５に示すように、外枠部２を構成する枠部材２ａについては、前側を２ａ−Ａ１、後側を２ａ−Ａ２、左側を２ａ−Ｂ１、右側を２ａ−Ｂ２とする。前側枠部材２ａ−Ａ１と後側枠部材２ａ−Ａ２とは、補強部材１４，１４で連結され、さらに該補強部材１４，１４と、それぞれが対向する左右の枠部材２ａ−Ｂ１，２ａ−Ｂ２とは、別の補強部材１５で連結される。これら補強部材１４，１５には高さ調節可能な支持脚２ｃが設けられ、この支持脚２ｃにより、支持フレーム２が、床設置域Ａの所定位置に支持される。また後側枠部材２ａ−Ａ２の上面には、後述する床部材５を固定するための補助フレーム２ｂが取り付けられている。
【００２２】
前記枠部材２ａどうしの連結、及び、枠部材２ａと補強部材１４，１５との連結は、ビスや係止構造を用いて、施工現場での連結・分離が可能なように構成してもよい。あるいは、あらかじめ工場で溶接し、組み付けた状態で施工現場へ搬入する構造としてもよい。
【００２３】
本発明にあっては、床部材５を連結する連結手段７の下部連結体７Ｙが、支持フレーム２に設けられる。下部連結体７Ｙは、後述する床部材５側の上部連結体７Ｘを無理嵌め状態に嵌合させて接合するためのものであって、本例では、図７に示すほぼ円柱状の受け具７０と、図８に示すほぼＬ字形のブラケット８０とで構成される。受け具７０は、その内部に、上方を開口させ内周面を球面状に形成した空間から成る係合凹部７１と、係合凹部７１の収納口７１ａに連接した上方に拡開するテーパ面状の案内部７２とが形成され、側周面には環状の溝７３が形成されている。
【００２４】
他方、ブラケット８０は、上記受け具７０が装着される水平部８２と、支持フレーム２の枠部材２ａにネジＳで固定される垂直部８３とを有し、水平部８２には、先端側を開放させた切欠部８１が形成される。本例では、図６に示す如く、ブラケット８０を、支持フレーム２における載置部２Ｙより下側の位置において、外枠部２Ｘの内側面にネジＳで固定する構造を採用した。
【００２５】
受け具７０の装着は、その溝７３に、ブラケット８０の切欠部８１の端縁部８１ａを嵌挿させることで行う。これにより、受け具７０を、ブラケット８０の切欠部８１内で、垂直方向には変位しないが、水平方向には移動が可能なように保持することができる。
【００２６】
なお、ブラケット８０の切欠部８１内へ水平方向の移動が可能なように装着した受け具７０が容易には脱落しないようにするため、例えば、図９（Ａ）に示す如く、ブラケット８０の前端付近を折り曲げて段部８４を形成したり、同図（Ｂ）に示す如く、切欠部８１の入口側の経路８５を屈曲した形態とすることなどが考えられる。
【００２７】
なお本例の支持フレーム２は、浴室ユニット用であるので、後方を浴槽設置域Ｂとし、この領域Ｂにおいて、浴槽設置用フレーム１６，１６が接合される（図５参照）。浴槽設置用フレーム１６，１６にも脚部２ｃが備えられ、この脚部２ｃにより、浴槽設置用フレーム１６が、浴槽設置域Ｂの所定位置に支持される。
【００２８】
載置部材３は、合成樹脂やゴム等の防水性素材で製作され、図２〜図４及び図１０に示す如く、前記支持フレーム２の外枠部２Ｘ及び設置部２Ｙの形態と適合するように、長方形の枠状に成形した部材である。本例では、載置部材３の断面形状を、図１０に示すとおり、水平方向の上方載置面部３ａと、この上方載置面部３ａの内周縁に垂設した起立部３ｃと、起立部３ｃの下端に連接した水平方向の下方載置面部３ｂと、上方載置面部３ａの外側縁部に立設した水返し部３ｋとを一体成形して、漏水のない形態に構成してある。また、上記水返し部３ｋの下方に固定片３ｅが連設され、この固定片３ｅにおいて、支持フレーム２の外枠部２Ｘにネジ固定される。さらに、下方載置面部３ｂの上面には、後述するシール部材６を嵌着させるための凹溝３ｇが環状に設けられる。
【００２９】
載置部材３の下方載置面部３ｂの下面のうち、前側及び左右側の三方領域には、断面矩形状の中空（又は図示しない中実）の支承部３ｄが形成され、その底面３ｆを、支持フレーム２の設置部２Ｙに当接させる。下方載置面部３ｂの下面に支承部３ｄを設けて嵩上げすることにより、下方載置面部３ｂと床部材５との距離の調整を行える。また、載置部材３の後側領域における下方載置面部３ｂの下方には、この載置部材３を枠部材２ａにネジ固定するための固定片３ｈを連設してある。
【００３０】
床部材５は、合成樹脂やステンレス鋼等の強度と防水性とを備えた素材で製作される。図２及び図１１に示す如く、洗い場床面を構成する長方形状の床面部５ａ、床面部５ａの下面５ｂに環状又は適宜間隔を開けて設けた脚部５ｃ、床面部５ａの後縁部に延設した接合部５ｅ、床面部５ａの適所に形成した排水口部５ｆを有している。図３及び図４に示すように、床面部５ａは、施工時に、脚部５ｃによって、前記載置部材３における下方載置面部３ｂ上に支持され、且つ、載置部材３の起立部３ｃの内側に嵌合するように設定される。なお、脚部５ｃの下端面に、水封を各自にするためのパッキン５ｇを配置することが望ましい（図１７参照）。また図示は省略したが、床面部５ａの下面５ｂに、使用者の荷重による撓みを防止するためのリブを設けることが望ましい。
【００３１】
床部材５の後縁部に延設した接合部５ｅは、施工時に、載置部材３の上方載置面部３ａ及び支持フレーム２の後方枠部材２ａ−Ａ２上に載置され、この後方枠部材２ａ−Ａ２に取り付けた補助フレーム２ｂにビスＳ等で連結される。また本例では、当該接合部５ｅの上面に、エプロン１９（図３参照）が配置される設計となっている。
【００３２】
本発明では、床部材５の下面５ｂにおける脚部５ｃより内側の領域において、前記支持フレーム２の下部連結体７Ｙと対応する位置に、連結手段７の上部連結体７Ｘを設けた。図１２及び図１３に示す如く、本例の上部連結体７Ｘは、前記下部連結体７Ｙの係合凹部７１内へ無理嵌め状態に嵌合される係合凸部７４、該係合凸部７４を下端に設けた支持部７５、支持部７５の上端に形成したフランジ部７５ａを摺動可能に収納する円筒状のホルダー部７７、支持部７５の上端面に突設した調整軸部９０と、この調整軸部９０に嵌着される係止部材９１とから成っている。なお、上記調整軸部９０と係止部材９１とで、本発明に係る調節部９が構成される。
【００３３】
前記ホルダー部７７は、支持体７５に設けた調整軸部９０を挿通させる開孔７７ａと、この開孔７７ａに係止部材９１を保持するための段部７７ｂと、ネジ７６を挿通させる固定片７７ｃとを有している。
【００３４】
調整軸部９０は、軸体の側周面に突条９０ａを形成したものであり、これには例えば、雄ネジの構造が利用できる。あるいは、軸体の側周面に、複数のフランジを形成する構造も考えられる。
【００３５】
係止部材９１は、図１４に示す如く、円形の基板部９１ａの中央に、調整軸部９０を貫挿させる挿通孔９１ｂを有し、この挿通孔９１ｂの開口縁部に、調整軸部９０の突条９０ａと係合する係止舌片９１ｃを設けたものである。当該係止舌片９１ｃは、挿通孔９１ｂの開口縁部に位置する基端部から、開口中心へ向かう先端にわたって傾斜する姿勢に形成され、床部材５と支持フレーム２とを接近させる方向の押圧力に対しては弾性的に揺動して、前記調整軸部９０の移動を許容し、床部材５と支持フレーム２とを離隔させる反対方向の引張力に対しては、抵抗を示して変形せず、前記調整軸部９０の移動を阻止するよう構成されている。このような機能を有する係止部材９１としては、例えば軸用プッシュナット等が利用できる。
【００３６】
上部連結体７Ｘを構築するには、支持体７５のフランジ部７５ａを、ホルダー７７内に収納させ、調整軸部９０を開孔７７ａから突出させる。そして、この調整軸部９０に係止部材９１を嵌着して、支持体７５がホルダー７７から脱落しないように組み付ける。係止部材９１は、ホルダー７７の一端面に形成した段部７７ｂに収納して保持する。次いで、図１３の如く、ホルダー７７の固定片７７ｃを、係止部材９１を間に挟んだ状態で、ネジ７６により、床部材５の下面５ｂに設けた取付ボス７８に取着すればよい。
【００３７】
本発明では、調整軸部９０を、係止部材９１に対して床部材５と支持フレーム２とを接近させる方向へ移動させるため、係止部材９１の係止舌片９１ａを弾性的に揺動させるのに必要とされる押圧力（これをＦ１とする）の大きさを、上部連結体７Ｘの係合凸部７４を、下部連結体７Ｙの係合凹部７１へ無理嵌め状態に嵌合するのに要する押圧力（これをＦ２とする）よりも大きくなるように設定してある（∵Ｆ２＜Ｆ１）。従って、床部材５を支持フレーム２に固定するため、上部連結体７Ｘと下部連結体７Ｙとを無理嵌め状態に接合する際には、調節部９の調節軸部９０と係止部材９１とは相対移動しない。そして、床部材５と支持フレーム２との接合後、床部材５に対し、所定値（Ｆ１）以上の押圧力を押し下げ方向に作用させたときだけ、調整軸部９０が係止部材９１に対し移動して、床部材５を沈み込ませることができる。つまり本発明は、床部材５を固定した後、浮き上がりが生じたときに、これを解消する沈み込み代を確保できる。
【００３８】
前述した床部材５側の上部連結体７Ｘと支持フレーム２側の下部連結体７Ｙとにより、床部材５を支持フレーム２に連結するための連結手段７が構成される。そして、上部連結体７Ｘの係合凸部７４と下部連結体７Ｙの係合凹部７１とで、連結手段７の接合部Ｋが構成される。
【００３９】
図１に示すように、本例では、連結手段７の配設位置を、床部材５及び支持フレーム２の前側領域におけるほぼ等間隔となる５箇所と、左右領域におけるほぼ中央部の各１箇所ずつとの合計７箇所とした。但し、この配置数は例示であり、床の大きさ等により、適宜変更可能である。
【００４０】
前記シール部材６は、図２に示す如く、軟質ゴム又は軟質合成樹脂等を用いて環状に成形され、載置部材３の下方載置面部３ｂに設けた環状の嵌着用凹溝３ｇに嵌着される。施工時にあっては、シール部材６は、載置部材３の下方載置面部３ｂと床部材５の下面５ｂとの間に位置し、両者に挟圧されることで、内部に蓄えられる反発弾性力により両者へ水密的に当接して、防水構造を呈するようになっている。
【００４１】
以下に、本発明に係る床部材の固定構造を用いて、浴室ユニットの洗い場床を施工する手順の一例を説明する。
まずはじめに、図２、図１５及び図１６に示すように、施工現場における洗い場床設置域Ａの所定位置に、長方形状に製作した支持フレーム２を設置する。
【００４２】
次に、図１７及び図１８に示すように、支持フレーム２上に、載置部材３を設置する。すなわち、支持フレーム２の外枠部２Ｘの内側に、載置部材３の下方載置面部３ｂを内嵌させ、上方載置面部３ａを外枠部２Ｘの上面に載置する。そして、載置部材３の前側及び左右側において、上方載置面部３ａの外周縁から垂下する固定片３ｅを、ビスＳ等で外枠部２Ｘの外側面へ固定する。また、載置部材３の後側においては、下方載置面部３ｂの下側に設けた固定片３ｈを、ビスＳ等で外枠部２Ｘの内側面へ固定する。
【００４３】
次いで、環状のシール部材６を、載置部材３における下方載置面部３ｂの上面に形成した凹溝３ｇに装着する。
【００４４】
引き続き、床部材５を、載置部材３の下方載置面部３ｂを間に介して、支持フレーム２の載置部２Ｙ上に載置したのち、図１９〜図２１に示すように、上部連結体７Ｘと下部連結体７Ｙとを接合して、床部材５を支持フレーム２に連結する。これは、床部材５側の上部連結体７Ｘの係合凸部７４を、支持フレーム２の下部連結体７Ｙの係合凹部７１内へ無理嵌めすることにより成される。その際、係合凹部７１の開口部７１ａの周囲にテーパ面状の案内部７２が連設されているので、床部材５を支持フレーム２上に降ろしていくと、図２０の如く、係合凸部７４が最初に案内部７２に当接し、その表面に沿って移動するから、確実に係合凹部７１内へ導かれる。また、係合凸部７４と係合凹部７１との間に多少の位置ずれが生じていたとしても、係合凸部７４が案内部７２に当接することによって、下部連結体７Ｙの受け具７０を、ブラケット８０の切欠部８１内で調整移動させるから、やはり、係合凸部７４と係合凹部７１との嵌合が確実に成される。
【００４５】
連結手段７の上部連結体７Ｘの係合凸部７４と、下部連結体７Ｙの係合凹部７１との接合構造は、通常の使用状態において床部材５に作用する振動等では、決して嵌合状態が分離することが無いように構成されている。
【００４６】
上部連結体７Ｘに設けた調節部９は、係合凸部７４を係合凹部７１内へ無理嵌めするのに必要な押圧力では、調整軸部９０が係止部材９１に対して移動することの無いよう設定されている。すなわち、連結手段７により床部材５を支持フレーム２に固定する作業を行う際には、調節部９が動作することはない。
【００４７】
また、床部材５の後側領域については、図３に示すように、後方部に設けた接合部５ｅを、支持フレーム２の後方枠部材２ａ−Ａ２上の補助フレーム２ｂにビスＳ等で固定する構造を採用している。
【００４８】
このようにして、上部連結体７Ｘの係合凸部７４を下部連結体７Ｙの係合凹部７１へ無理嵌め状態に嵌合させて床部材５を支持フレーム２に固定することにより、床部材５の下面５ｂと載置部材３の下方載置面部３ｂとの間で、シール部材６が弾性的に圧縮されて水密状態となる結果、床部材５の下面側への漏水を阻止する防水構造が形成される。
【００４９】
また、連結手段７の上部連結体７Ｘと下部連結体７Ｙとを接合させて、シール部材６を弾性的に圧縮した状態で、床部材５を支持フレーム２へ固定したときには、図２１に示すとおり、床部材５の脚部５ｃが直接又はパッキン５ｇを介して、支持フレーム２の設置部２Ｙ上に当接するように設定されている。つまり、床部材５に加わる荷重の大部分を、脚部５ｃを通じて支持フレーム２へ伝達する構造となっている。このため、連結手段７には大きい荷重が作用しないから、連結手段７を耐荷重構造とする必要がなく、接合部Ｋの変形も防止される。また、載置部材３についても、床部材５を通じて及ぼされる荷重が小さいから、それほど大きな強度が要求されす、また、安定した設置状態が得られる。
【００５０】
しかる後、載置部材３における上方載置面部３ａの所定箇所に、壁パネル４と出入り口扉ユニット８（図１参照）とを設置する。但し、この工程は、床部材５の設置前に行う場合もある。
出入り口扉ユニット８の設置は、コーナーポスト１０及び平面ポスト１１を利用して行われる。コーナーポスト１０及び平面ポスト１１を、載置部材３の上方載置面部３ａの所定箇所に起立状態で配置し、図示は省略したが、支持フレーム２の枠部材２ａに連結片やビス等を用いて固定する。そして、出入り口扉ユニット８を載置部材３の上方載置面部３ａ上に起立させた状態で載置したのち、その左右両側部をコーナーポスト１０及び平面ポスト１１に連結し、底辺部を床面の適所に締結する。
【００５１】
最後に、床部材５の端縁部５ｄと、壁パネル４の表面４ａとの間に生じる間隙２０（図２２参照）を、目地材やコーキング材等の防水部材２１で充填する。
【００５２】
ところで、床部材５や支持フレーム２に歪み等があるため、図２２に例示する如く、脚部５ｃが載置部２Ｙに当接せずに隙間Ｇを生じ、床部材５の表面が若干浮いた状態になる場合がある。本発明では、このようなとき、床部材５が浮いた状態となっている箇所、又は、これに近い連結手段７を選び、当該箇所に対し、床部材５の上から踏みつける又は叩打する等の手段によって大きい押圧力を作用させる。これにより、連結手段７に設けた調節部９の調節軸部９０と係止部材９１とが、軸方向に相対移動するため、当該部分の床部材５表面を沈み込ませることができる。調節部９の調節軸部９０は、係止部材９１に対し反対方向（床部材５が支持フレーム２から離れる方向）の移動が阻止される構造となっているので、床部材５において一旦沈み込ませた部位は、その状態が調節部９によって保持され、再び浮き上がるのが防止される。それ故、載置部材３の下方載置面部３ｂと床部材５の下面５ａとの間に配置したシール部材６に適切な弾性圧縮状態をもたらすと共に、脚部５ｃの下端を載置部２Ｙへ確実に当接させて、床部材５の下面側に確実な防水性を付与することができる。
【００５３】
本発明に係る床部材の固定構造は、連結手段７の接合部Ｋに、所定値以上の引張力を与えることで、分離可能に構成することができる。例えば、床部材５の後方部を支持フレーム２に固定しているビスＳ（図３参照）を取り去り、床部材５の後側部分を持ち上げる。これにより、連結手段７の接合部Ｋに上向きの大きい引張力が作用するから、上部連結体７Ｘの係合凸部７４を、下部連結体７Ｙの係合凹部７１から引き抜いて分離することが可能となる。依って、床部材５や支持フレーム２などの交換・修理・清掃等が必要な場合には、床部材５を取り外せるので、所要の上記作業を簡単に行える。また、このとき、調節部９に作用する力は、床部材５を支持フレーム２から引き離す方向の力であるから、調節軸部９０が係止部材９１に対し移動することは無い。
【００５４】
［第２の実施形態］
図２３及び図２４に示す実施形態は、連結手段７の構成を、前記第１の実施形態とは上下反対としたものである。すなわち、床部材５の下面５ｂに、係止凹部７１と案内部７２とを有する受け具１００を一体的に形成して、これを上部連結体７Ｘとした。他方、支持フレーム２側に、係合凸部７４を有する支持体１０１と、これを保持するブラケット８０とを設け、これらを下部連結体７Ｙとした。支持体１０１は、係合凸部７４を有する支持部７５と、該支持部７５を摺動可能に保持するホルダー７７と、調整軸部９０及び係止部材９１とから成る調節部９とを備え、上記ホルダー７７を、支持フレーム２に取着したブラケット８０に対し、水平方向の移動が可能なように装着されている。
【００５５】
［第３の実施形態］
図２５〜図２７に示す実施形態は、上部連結体７Ｘと下部連結体７Ｙとの接合部Ｋを床部材５の下面よりやや離れた位置に形成したものである。本例では、図２５に示す如く、床部材５側に、あらかじめ接合部Ｋで連結した上部連結体７Ｘ及び下部連結体７Ｙが設けられる。
【００５６】
上部連結体７Ｘは、床部材５の下面に一体形成したボス部９６、及び、係合凹部９５ａを有する受け具９５とより成る。
他方、下部連結体７Ｙは、上面側に係合凸部９４が形成され、下面側にフランジ部９３ａと調節部９の調整軸部９０とが設けられる支持軸９３より成る。
さらに、調整軸部９０に係合する係止部材９１を取り付けた支持体８１が、支持フレーム２に固定したブラケット８０により、水平方向の移動が可能なように保持される。当該支持体８１は、下部連結体７Ｙのフランジ部９３ａが摺動可能に嵌装されるホルダー９２を有している。
【００５７】
床部材５を支持フレーム２に固定する際には、図２６に示すように、調整軸部９０を、支持体８１の係止部材９１に貫挿させて係合させる。
【００５８】
そして必要に応じ、床部材５を取り外す際には、床部材５を持ち上げることにより、図２７に示すように、連結手段７の接合部Ｋにおいて、上部連結体７Ｘと下部連結体７Ｙとを分離することができる。
【符号の説明】
【００５９】
１…洗い場床
２…支持フレーム
２ａ…枠部材
２ａ−Ａ１…前側の枠部材    ２ａ−Ａ２…後側の枠部材
２ａ−Ｂ１…左側の枠部材    ２ａ−Ｂ２…右側の枠部材
２ｂ…補助フレーム
２ｃ…支持脚
２ｄ…端縁部
２Ｘ…外枠部
２Ｙ…設置部
３…載置部材
３ａ…上方載置面部
３ｂ…下方載置面部
３ｃ…起立部
３ｄ…支承部
３ｅ…固定片
３ｆ…支承部底面
３ｇ…嵌着用凹溝
３ｈ…固定片
３ｋ…水返し部
４…壁パネル
４ａ…表面
５…床部材
５ａ…床面部
５ｂ…裏面
５ｃ…脚部
５ｄ…端縁部
５ｅ…浴槽設置域側（後側）の接合部
５ｆ…排水口部
６…シール部材
７…連結手段
７Ｘ…上部連結体
７４…係合凸部  ７５…支持部  ７５ａ…フランジ部  ７６…ネジ  ７７…ホルダー
７７ａ…開孔    ７７ｂ…段部  ７７ｃ…固定片  ７８…取付ボス
７Ｙ…下部連結体
７０…受け具  ７１…係合凹部  ７１ａ…収納口  ７２…テーパ部  ７３…溝
８０…ブラケット  ８１…切欠部  ８１ａ…端縁部  ８２…水平部  ８３…垂直部
８…出入り口扉ユニット
９…調節部
９０…調整軸部  ９０ａ…突条
９１…係止部材  ９１ａ…基板部  ９１ｂ…挿通孔  ９１ｃ…係止舌片
１０…コーナーポスト
１１…平面ポスト
１４…補強部材（長尺）
１５…補強部材（短尺）
１６…浴槽設置用フレーム
１９…エプロン
２０…間隙
２１…防水部材
Ａ…洗い場床設置域
Ｂ…浴槽設置域
Ｇ…隙間
Ｋ…接合部
Ｓ…ネジ
【図１】
0005801157.tif 000002
【図２】
0005801157.tif 000003
【図３】
0005801157.tif 000004
【図４】
0005801157.tif 000005
【図５】
0005801157.tif 000006
【図６】
0005801157.tif 000007
【図７】
0005801157.tif 000008
【図８】
0005801157.tif 000009
【図９】
0005801157.tif 000010
【図１０】
0005801157.tif 000011
【図１１】
0005801157.tif 000012
【図１２】
0005801157.tif 000013
【図１３】
0005801157.tif 000014
【図１４】
0005801157.tif 000015
【図１５】
0005801157.tif 000016
【図１６】
0005801157.tif 000017
【図１７】
0005801157.tif 000018
【図１８】
0005801157.tif 000019
【図１９】
0005801157.tif 000020
【図２０】
0005801157.tif 000021
【図２１】
0005801157.tif 000022
【図２２】
0005801157.tif 000023
【図２３】
0005801157.tif 000024
【図２４】
0005801157.tif 000025
【図２５】
0005801157.tif 000026
【図２６】
0005801157.tif 000027
【図２７】
0005801157.tif 000028